【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
交流入力を受け、整流装置の出力に整流出力を発生する整流装置（３９）と、前記整流装置（３９）の出力に接続された入力回路（４０）、調整直流出力電圧を供給する出力回路（４１）、及び前記入力回路（４０）及び出力回路（４１）にそれぞれ接続された、一次巻線（４６）及び二次巻線（４７）を有するエネルギ蓄積変圧器を具備するフライバック変換器（４２）とから成る電源において、
前記入力回路（４０）は、
(a) エネルギ蓄積インダクタ（４３）と、
(b) 前記整流装置（３９）の出力を横切って、前記エネルギ蓄積インダクタ（４３）と直列に接続されたスイッチング素子（４４）と、
(c)該スイッチング素子（４４）の周期的ターンオン及びターンオフを、前記交流入力の周波数よりかなり大きなスイッチング周波数で制御する制御装置（６０−７１）と、
(d) 前記スイッチング素子（４４）を横切る一次巻線（４６）と直列に接続され、前記スイッチング周波数では、低インピーダンスを示すが、前記交流入力の周波数では、それよりかなり高いインピーダンスを示すように値決めされた、結合コンデンサ（４５）とから構成され、
前記制御装置は、
前記インダクタ（４３）と変圧器（４２）が、等しく平衡して相互に充電するような蓄積エネルギレベルを有する所定のターンオン条件への到達時を検出するための検出器手段（６０、６２）と、前記検出手段が前記所定のターンオン条件に到達したことを検出したときに、前記スイッチング素子（４４）をオンにするターンオン手段（６５）とを有するスイッチオン制御手段と、
前記調整直流出力電圧の所望の値に依存する期間中、前記スイッチング素子（４４）をオンに維持するためのオン時間制御手段（６５−７１）
とから構成されることからなる、電源。
【請求項２】
前記インダクタ（４３）と前記変圧器一次巻線（４６）のインダクタンス値は等しく、前記所定のターンオン条件への到達は、前記インダクタ及び前記変圧器の蓄積エネルギレベルがゼロであるときになされる、請求項１に記載の電源。
【請求項３】
前記インダクタ（４３）のインダクタンス値は、前記変圧器一次巻線（４６）のインダクタンス値より大きく、前記変圧器（４２）は、スイッチング素子（４４）のターンオフに続き、まずゼロにまで放電し、次いで前記所定のターンオン条件に到達するまで、前記インダクタ（４３）により再充電される、請求項１に記載の電源。
【請求項４】
前記スイッチオン制御手段の前記検出器手段（６０、６２）が、  前記変圧器（４２）内の磁束の変化率に比例する電圧を導出するための検知手段（６０）であって、この変化率は、前記所定のターンオン条件が満たされる場合にゼロに降下することからなる、検知手段と、
前記検知手段（６０）により検知される電圧の最小値を判定する判定手段（６２）
とを備え、前記ターンオン手段（６５）が、前記判定手段（６２）により判定された前記最小値において、前記スイッチング素子（４４）をオンにすることからなる、請求項１に記載の電源。
【請求項５】
前記検知手段は、前記変圧器の前記一次巻線及び二次巻線（４６、４７）と共に巻かれた検知巻線（６０）を備える、請求項４に記載の電源。
【請求項６】
前記スイッチオン制御手段は、更に、スイッチング素子が、早期に再び前記ターンオン手段（６５）によりオンにされていない限り、スイッチング素子が、最後にオンであった時から所定時間後に、前記ターンオン手段による前記スイッチング素子（４４）のターンオンを開始するためのタイムアウト手段（６４）を備える、請求項４に記載の電源。
【請求項７】
前記スイッチオン制御手段は、
前記変圧器二次巻線（４７）の電流を監視する検知手段であって、この電流は、前記所
定のターンオン条件が満たされる場合にゼロになることからなる、検知手段と、
前記検知手段により監視される二次巻線電流がゼロに降下する時を判定する判定手段
とを備え、前記ターンオン手段（６５）は、前記判定手段が、前記二次巻線電流が降下してゼロになっていると判定した場合に前記スイッチング素子をオンにすることからなる、請求項１に記載の電源。
【請求項８】
前記オン時間制御手段は、
前記出力電圧を表すフィードバック信号を供給するための出力電圧フィードバック手段（６６−６９）と、
誤差信号を発生するために、前記フィードバック信号をある基準と比較する比較手段（７１）であって、前記基準は、前記出力電圧の所望の値を表すものであることからなる、比較手段と、
前記誤差信号を最小にするように、前記スイッチング素子（４４）のオン時間を調節するタイミング手段（６５）
とから構成され、
前記出力電圧フィードバック手段は、前記出力電圧を表す入力信号を受け取るように接続され、前記入力信号に含まれるリップル成分の大きさが、実質的に減少している、対応する出力信号を生成するように動作する低域通過フィルタ（６６）を備えており、このリップル成分は、交流幹線路の周波数の２倍の周波数で、前記出力電圧に存在するリップルに対応し、前記低域通過フィルタの出力信号は、少なくとも部分的に、前記フィードバック信号を形成することからなる、請求項１に記載の電源。
【請求項９】
前記出力電圧フィードバック手段は更に、前記出力電圧の急速な変化、及び／又は大きい変化に応答して、前記低域通過フィルタ（６６）をバイパスし、これらの変化をより迅速に前記フィードバック信号に導入する過渡検出器（６８）を備える、請求項８に記載の電源。
【請求項１０】
前記出力電圧フィードバック手段は更に、幹線路周波数の時間尺度で、変前記圧器の二次巻線（４７）にかかる電圧の最小値を検出するための最小ピーク検出器（６７）を備え、該最小ピーク検出器（６７）は、前記低域通過フィルタ（６６）の出力に存在する、如何なる残留リップル成分をも相殺するように、前記低域通過フィルタ（６６）の出力と尺
度及び位相が合った出力を生成し、前記最小ピーク検出器（６７）の出力は、前記フィー
ドバック信号及び前記誤差信号の一方に導入される、請求項８に記載の電源。
【請求項１１】
交流入力を受け取り、整流装置の出力で整流出力を発生する整流装置（３９）と、前記整流装置の出力に接続されて、調整直流出力電圧を供給するように動作する調整器とを備える電源において、
前記調整器は、
(a) 第１のエネルギ蓄積インダクタ（４３）と、
(b) 前記整流装置（３９）の出力を横切って、前記第１のインダクタ（４３）と直列に接続されたスイッチング素子（４４）と、
(c) 該スイッチング素子（４４）の周期的ターンオン及びターンオフを、前記交流入力の周波数よりかなり大きいスイッチング周波数で制御する制御装置（６０−７０）と、
(d) 第２のエネルギ蓄積インダクタ（１００）と、
(e) 前記スイッチング素子（４４）を横切って、前記第２のインダクタ（１００）と直列に接続されて、前記スイッチング周波数では、低インピーダンスを示すが、前記交流入力の周波数では、それよりかなり高いインピーダンスを示すように値決めされた、結合コンデンサ（４５）と、
(f) 整流ダイオード（４８）と、
(g) 前記第２のインダクタ（１００）を横切って、前記整流ダイオード（４８）と直列に接続される蓄積コンデンサ（４９）であって、前記調整直流出力電圧は、前記蓄積コンデンサ（４９）の両端に出現することからなる蓄積コンデンサ
とを備え、
前記制御装置は、
前記第１及び第２のインダクタ（４３、１００）が、等しく平衡して相互に充電するような蓄積エネルギレベルを有する所定のターンオン条件に到達したことを検出するための検出器手段（６２）と、前記検出器手段が、前記所定のターンオン条件に到達したことを検出したときに前記スイッチング素子（４４）をオンにするためのターンオン手段（６５）とを有するスイッチオン制御手段と、
前記調整直流出力電圧の所望の値に依存した期間中、前記スイッチング素子（４４）をオンに維持するためのオン時間制御手段（６５−７０）
を備えることからなる、電源
【請求項１２】
前記第１及び第２のインダクタ（４３、１００）のインダクタンス値は等しく、前記所定のターンオン条件への到達は、それらのインダクタの蓄積エネルギレベルがゼロである場合になされる、請求項１１に記載の電源。
【請求項１３】
前記第１のインダクタ（４３）のインダクタンス値は、前記第２のインダクタ（１００）のインダクタンス値より大きく、前記第２のインダクタは、前記スイッチング素子（４４）のターンオフに続き、まずゼロにまで放電し、次いで前記所定のターンオン条件に到達するまで、前記第１のインダクタ（４３）により再充電される、請求項１１に記載の電源。
【請求項１４】
前記スイッチオン制御手段の検出器手段は、
前記第２のインダクタ（１００）にかかる電圧を監視するための検知手段であって、この電圧は、前記所定のターンオン条件が満たされる場合にゼロに降下することからなる、検知手段と、
前記検知手段により検知された電圧の最小値を判定するための判定手段（６２）
とを備え、
前記ターンオン手段（６５）は、前記判定手段（６２）により判定された前記最小値において、前記スイッチング素子（４４）をオンにすることからなる、請求項１１に記載の電源。
【請求項１５】
前記スイッチオン制御手段は更に、前記スイッチング素子が、早期に再び前記ターンオン手段（６５）によりオンにされていない限り、前記スイッチング素子（４４）が最後にオンであった時から所定時間後に、前記ターンオン手段（６５）による前記スイッチング素子（４４）のターンオンを開始するためのタイムアウト手段（６４）を備える、請求項１４に記載の電源。
【請求項１６】
前記オン時間制御手段は、
前記出力電圧を表すフィードバック信号を供給するための出力電圧フィードバック手段と、
誤差信号を発生するために、前記フィードバック信号をある基準と比較するための比較手段（７０）であって、前記基準は、前記出力電圧の所望の値を表すものであることからなる、比較手段と、
前記誤差信号を最小にするように、前記スイッチング素子（４４）のオン時間を調節するためのタイミング手段（６５）
を備え、
前記出力電圧フィードバック手段は、前記出力電圧を表す入力信号を受け取るように接続され、前記入力信号に含まれるリップル成分の大きさが実質的に減少している、対応する出力信号を生成するように動作する低域通過フィルタ（６６）を備えており、このリップル成分は、交流幹線路の周波数の２倍の周波数で、前記出力電圧に存在するリップルに対応し、前記低域通過フィルタ（６６）の出力信号は、少なくとも部分的に、前記フィードバック信号を形成することからなる、請求項１１に記載の電源。
【請求項１７】
前記出力電圧フィードバック手段は更に、前記出力電圧の急速な変化、及び／又は大きい偏差に応答して、前記低域通過フィルタ（６６）をバイパスし、これらの変化を、より迅速に前記フィードバック信号に導入する過渡検出器（６８）を備える、請求項１６に記載の電源。
【請求項１８】
前記出力電圧フィードバック手段は更に、前記幹線路周波数の時間尺度で、前記第２のインダクタ（１００）にかかる電圧の最小値を検出するための最小ピーク検出器（６７）を備え、該最小ピーク検出器（６７）は、前記低域通過フィルタ（６６）の出力に存在する、如何なる残留リップル成分をも相殺するように、前記低域通過フィルタ（６６）の出力と尺度及び位相が合った出力を生成し、前記最小ピーク検出器（６７）の出力は、前記フィードバック信号及び前記誤差信号の一方に導入されることからなる、請求項１６に記載の電源。